(57)【要約】【課題】網戸枠に対しネットを室内側から容易に着脱できる構造とし、しかも、該ネットを網戸枠に対して強固で安定的に取り付け可能にした網戸を提供する。【解決手段】網戸枠１の枠材２，３を、枠内周側に沿って網戸枠の室内側に開口する凹溝部４を有するものとし、各枠材に取り付ける補助枠７の固定部８を、上記凹溝部の内側壁５の内側面に当接させ、該固定部と枠材の外側壁６との間に、弾性的な押圧力を負荷する固定ピース１１を圧嵌することにより該補助枠を網戸枠に固定する。補助枠の取付面部９に固定した第１の面ファスナー片１３ａに対し、カートリッジ型ネット１５の周囲に取り付けた第２の面ファスナー片１３ｂを室内側から着脱自在に接合させて網戸とする。【選択図】図５
2018168656.tif 000002
【特許請求の範囲】
【請求項１】
枠材が方形に枠組みされた網戸枠における四周の各枠材に、その枠内周側に沿って、該網戸枠の室内側に開口する凹溝部が設けられており、
上記網戸枠の各枠材に取り付ける補助枠は、上記凹溝部を形成する枠材の内側壁の溝内側面に当接する固定部と、該固定部に連設して網戸枠の内方側に向けて伸びる面ファスナーの取付面部とを一体形成して、該取付面部の室内側面に沿って、面ファスナーを構成する一対の面ファスナー片の一方である第１の面ファスナー片を固定することにより構成され、
上記枠材に対する補助枠の固定は、該枠材の凹溝部を形成する枠材の内側壁の溝内側面に当接させた固定部と、該溝内側面に対面する凹溝部の外側壁との間に、それらに対して弾性的な押圧力を負荷する固定部材を室内側から圧嵌することによって行い、
網戸枠のサイズに合わせて切断したネットの周辺に、同様に上記網戸枠のサイズに合わせて形成したカートリッジ枠を固定すると共に、該ネットにおける上記カートリッジ枠の固定側とは反対側の面に、前記第１の面ファスナー片に接合させる第２の面ファスナー片を固定して、カートリッジ型ネットを形成し、
上記補助枠に固定した第１の面ファスナー片に対し、室内側から上記カートリッジ型ネットにおける第２の面ファスナー片を接合することにより構成している、
ことを特徴とする網戸。
【請求項２】
上記各枠材に対して補助枠の固定を行う固定部材を、弾性を有する素材により形成されて、上記補助枠の固定部を挿入した枠材の凹溝部に離散的に分散して圧嵌する複数の固定ピースとして構成し、
該固定ピースは、上記凹溝部に沿う方向に延びる支持板の表裏両面側に、該固定ピースの上記凹溝部への挿入方向に延びる複数のリブを交互に反対面側に突設し、しかもそれらのリブは、その各峰部が上記補助枠の固定部とそれに対面する凹溝部の外側壁とに対して圧接することによって受ける反力で、上記支持板のリブ突設基部を押圧し、該支持板を波状に弾性変形させる高さを有するものとして構成している、
ことを特徴とする請求項１に記載の網戸。
【請求項３】
上記固定ピースが、その支持板の両端部における表裏両面側に、峰部が上記補助枠の固定部とそれに対面する凹溝部の外側壁とに対して圧接することにより該支持板の両端の位置を安定化させる端部リブを設けている、
ことを特徴とする請求項２に記載の網戸。
【請求項４】
上記各枠材に対して補助枠の固定を行う固定部材を、弾性を有する素材により形成した板状部材で、上記補助枠の固定部を挿入した枠材の凹溝部と同等の長さのものとして、或いは該凹溝部の長さの範囲内に離散的に分散して圧嵌される複数の短寸のものとして構成している、
ことを特徴とする請求項１に記載の網戸。
【請求項５】
上記枠材の凹溝部を形成する内側壁と、該凹溝部に嵌入する補助枠の固定部との間に互いに係止する係止部を設け、上記凹溝部に圧嵌する固定部材に、その圧嵌により上記係止部の係止を安定化する機能を持たせている、
ことを特徴とする請求項１〜４のいずれかに記載の網戸。
【請求項６】
上記枠材の凹溝部に圧嵌する固定部材と、それが接するところの、枠材の固定部及びそれに対面する凹溝部の外側壁との間に、固定部材に抜け出し方向に対する抵抗力を負荷する摩擦面を備えている、
ことを特徴とする請求項５に記載の網戸。
【請求項７】
上記補助枠の取付面部に対して固定する第１の面ファスナー片が、上記補助枠の取付面部における該面ファスナー片の取付位置の両側に対設されたところの、互いに内側に傾いた一対のかしめ用爪部片間に配設され、上記一対のかしめ用爪部片の内側へのかしめにより固定されている、
ことを特徴とする請求項１〜５のいずれかに記載の網戸。
【請求項８】
枠材が方形に枠組みされた網戸枠における四周の各枠材に、その枠内周側に沿って該網戸枠の室内側に開口する凹溝部が設けられているところの、既存の網戸枠に装着するための改修網戸用キットであって、
上記網戸枠の各枠材に取り付ける補助枠が、上記凹溝部の枠材の内側壁の溝内側面に当接する固定部と、該固定部に連設して網戸枠の内方側に向けて伸びる面ファスナーの取付面部とを一体形成して、該取付面部の室内側面に沿って、面ファスナーを構成する一対の面ファスナー片の一方である第１の面ファスナー片を固定することにより構成され、
上記枠材に対する補助枠の固定を行う部材が、該枠材の凹溝部を形成する枠材の内側壁の溝内側面に当接させた固定部と、該溝内側面に対面する凹溝部の外側壁との間に、それらに対して弾性的な押圧力を負荷するために圧嵌する固定部材により構成され、
上記補助枠に取り付けるカートリッジ型ネットが、網戸枠のサイズに合わせて切断したネットの周辺に、同様に上記網戸枠のサイズに合わせて形成したカートリッジ枠を固定すると共に、該ネットにおける上記カートリッジ枠の固定側とは反対側の面に、前記第１の面ファスナー片に接合させる第２の面ファスナー片を固定することにより形成され、
上記補助枠に固定した第１の面ファスナー片に対し、上記カートリッジ型ネットにおける第２の面ファスナー片が室内側から接合可能に構成されている、
ことを特徴とする改修網戸用キット。
【発明の詳細な説明】
【技術分野】
【０００１】
本発明は、網戸枠に対して室内側からネットを着脱可能にした網戸、及び既存の網戸枠を利用して室内側からネットを着脱可能にした改修網戸を組み上げるための改修網戸用キットに関するものである。
【背景技術】
【０００２】
従来から一般的に行われている網戸枠へのネットの張設は、網戸枠の室外側面の枠内周に設けられているネット固定溝に対し、ネットを紐状のゴム（押さえビート）や樹脂製の押し縁と共に押し込んで行うのが通例である。このような網戸枠へのネットの固定は、ネットの洗浄や破損に伴う交換のために行う必要がある。そして、それらの網戸枠に対するネットの着脱は、網戸枠を建物のサッシ等から取り外すと共にネットを除去し、その網戸枠を屋内の広い面積の床面上に置いて、新しいネット或いは張り替えのために洗浄したネットを再度網戸枠に取り付ける作業を行う必要があり、このような作業を能率的に行うのは、特に経験を積んだものでなければ容易なことではない。また、網戸の設置場所が高層階の外壁面であるような場合には、その着脱作業等に危険が伴うことになる。
【０００３】
更に、近年は、中高層階の外壁に設置される網戸の落下防止のために、該網戸を建物開口部枠に固定的に設置したり、サッシの室内側に設置するなどの配慮がなされていることから、ネットを網戸枠に室内側から取り外したり張設したりすることが要望され、それを行う手段も提案されているので、従来から一般的に用いられている網戸枠の室外側面へネットの張設を行うものについても、網戸枠を室内側からの作業でネットの着脱や交換できるようにすることが望まれている。
【０００４】
このような問題に対処するため、既存の網戸枠に対するネットの着脱を簡易にできるようにしたものが、特許文献１において提案されている。この既提案のものは、網戸框６における室外側面に設けられているネット取付部（ネット固定溝）６０に組み込むことができるような断面が略Ｚ字状のアタッチメント７を、同文献の図２中に矢印で示されているように配設して、上記ネット取付部６０に接着叉はネジ止めにより固定し、そのアタッチメント７の垂下片７０の室内側面に取り付けた第２ファスナー５に対し、網部材２の四周に第１ファスナー３を固着した防虫ネット１を室内側から着脱可能にしたものである。
【０００５】
上記特許文献１の防虫ネットの取付構造は、該防虫ネットを網戸框の室内側から面ファスナーにより取り付けるようにした点で、既存の網戸框を利用しながら、それに対する室内面側からの防虫ネットの着脱を簡単で容易なものにしているので、その点では望ましいものになっている。つまり、既存の網戸框を利用することから、防虫ネットを取り付けた網戸框を建物開口部に取り付ける取付構造について配慮する必要がなく、既存の網戸框が備えている構成をそのまま利用するために、従来の網戸におけるネットの交換に似た作業で、網戸の改修と防虫ネットの交換を行うことができるものである。
【０００６】
しかしながら、その改変された防虫ネットの取付構造自体は、網戸の設置場所が高層階の外壁面であるような場合の該網戸の落下防止対策に沿わないものである。
即ち、上記防虫ネットの取付構造では、上述したように、既存の網戸框６の室外側面に設けられているネット取付部６０に、断面が略Ｚ字状のアタッチメント７を組み込むに当たり、該ネット取付部６０に対してアタッチメント７の一端を接着叉はネジ止めにより固定し、そのアタッチメント７の垂下片７０の室内側面に取り付けた第２ファスナー５に対して、網部材２の四周に設けた第１ファスナー３を室内側から押し付けて取り付けるようにしている。
【０００７】
このような既存の網戸框における溝状のネット取付部６０は、一般的に、その内面が数ミリ幅程度の非常に狭い幅しか持たない溝状であり、その狭いネット取付部６０にアタッチメント７の一端を片持ち梁状に接着叉はネジ止めにより固定しても、それが長期に亘って強い日照や強い風雨に曝される屋外に置かれることから、該アタッチメントが安定的に取り付けられるとは到底考えられない。しかも、上記アタッチメントの垂下片７０に対する防虫ネットの取り付けは、該垂下片７０の室内側面に取り付けた第２ファスナー５に対し、網部材２の四周に設けた第１ファスナー３を室内側から押し付けて取り付けるため、その取付作業時に第１ファスナー３に対して室内側から作用させる押付力が、アタッチメントの垂下片７０に対して該アタッチメント７を取付部において引き起こす方向の力として作用することになり、第２ファスナー５に対する第１ファスナー３の取り付けを確実にするためにその押付力を大きくすると、それだけアタッチメント７の取付部が損傷して脱落しやすくなる。
【０００８】
更に、上述のように網戸を室内側から容易に着脱可能にすることは、室内にいる居住者がその網戸におけるネットの交換や洗浄だけでなく、日常生活において網戸に触れる機会が多くなるのは当然であり、それに伴って、上記アタッチメント７の固定が不安定化することになり、それがアタッチメント７を含む防虫ネットの落下事故の原因になる可能性がある。
【先行技術文献】
【特許文献】
【０００９】
【特許文献１】特開２００６−０９７２４２号公報
【発明の概要】
【発明が解決しようとする課題】
【００１０】
本発明の技術的課題は、既存の網戸枠を利用する場合を含めて、網戸枠に対しネットを室内側から容易に着脱できるような構造とし、しかも、該ネットを網戸枠に固定する補助枠と共に、網戸枠に対して安定的に取り付けることを可能にした網戸、及び既存の網戸枠を利用して同様な網戸を構成する改修網戸用キットを提供することにある。
【課題を解決するための手段】
【００１１】
上記課題を解決するため、本発明によれば、枠材が方形に枠組みされた網戸枠における四周の各枠材に、その枠内周側に沿って、該網戸枠の室内側に開口する凹溝部が設けられており、上記網戸枠の各枠材に取り付ける補助枠は、上記凹溝部を形成する枠材の内側壁の溝内側面に当接する固定部と、該固定部に連設して網戸枠の内方側に向けて伸びる面ファスナーの取付面部とを一体形成して、該取付面部の室内側面に沿って、面ファスナーを構成する一対の面ファスナー片の一方である第１の面ファスナー片を固定することにより構成され、上記枠材に対する補助枠の固定は、該枠材の凹溝部を形成する枠材の内側壁の溝内側面に当接させた固定部と、該溝内側面に対面する凹溝部の外側壁との間に、それらに対して弾性的な押圧力を負荷する固定部材を室内側から圧嵌することによって行い、網戸枠のサイズに合わせて切断したネットの周辺に、同様に上記網戸枠のサイズに合わせて形成したカートリッジ枠を固定すると共に、該ネットにおける上記カートリッジ枠の固定側とは反対側の面に、前記第１の面ファスナー片に接合させる第２の面ファスナー片を固定して、カートリッジ型ネットを形成し、上記補助枠に固定した第１の面ファスナー片に対し、室内側から上記カートリッジ型ネットにおける第２の面ファスナー片を接合することにより構成していることを特徴とする網戸が提供される。
【００１２】
上述した本発明の網戸においては、上記網戸枠の各枠材に取り付ける補助枠を、該網戸枠の凹溝部を形成する枠材の内側壁の溝内側面に当接する固定部と、該固定部に連設した面ファスナーの取付面部とを一体化したものとし、しかも、それらの補助枠を網戸枠における四周の枠材に固定するに際して、各補助枠の固定部を網戸枠の室内側に開口する凹溝部に挿入し、該凹溝部に固定部材を圧嵌して固定するようにしているので、補助枠が室内側に離脱したうえで室外側に落下する可能性は極端に小さくなり、更に、上記網戸枠に補助枠を取り付けた後には、各補助枠における面ファスナー片の取付面部に対して、ネットにカートリッジ枠及び面ファスナー片を固定してなるカートリッジ型ネットにおける面ファスナー片を全周にわたって接合するので、これによっても、網戸枠に対して補助枠が安定的に取り付けられ、網戸枠が強い風雨等に曝されることがあってもその一部が離脱するようなことはない。
【００１３】
また、上記カートリッジ型ネットは、カートリッジ枠により所要のサイズのネットを補助枠に適合する形態に保持させたものであり、しかも、補助枠に接合させる面ファスナー片を固定したものであるから、網戸枠に対するネットの張設は、単に該カートリッジ型ネットにおける面ファスナー片を補助枠に対して室内側から接合するだけでよく、その着脱を極めて容易に行うことが可能である。
【００１４】
本発明に係る上記網戸の実施形態においては、上記各枠材に対して補助枠の固定を行う固定部材を、弾性を有する素材により形成されて、上記補助枠の固定部を挿入した枠材の凹溝部に離散的に分散して圧嵌する複数の固定ピースとして構成し、該固定ピースは、上記凹溝部に沿う方向に延びる支持板の表裏両面側に、該固定ピースの上記凹溝部への挿入方向に延びる複数のリブを交互に反対面側に突設し、しかもそれらのリブは、その各峰部が上記補助枠の固定部とそれに対面する凹溝部の外側壁とに対して圧接することによって受ける反力で、上記支持板のリブ突設基部を押圧し、該支持板を波状に弾性変形させる高さを有するものとして構成することが望まれる。
【００１５】
また、上記固定ピースにおいては、その支持板の両端部における表裏両面側に、峰部が上記補助枠の固定部とそれに対面する凹溝部の外側壁とに対して圧接することにより該支持板の両端の位置を安定化させる端部リブを設けることが望まれる。
【００１６】
本発明に係る上記網戸の他の好ましい実施形態においては、上記各枠材に対して補助枠の固定を行う固定部材を、弾性を有する素材により形成した板状部材で、上記補助枠の固定部を挿入した枠材の凹溝部と同等の長さのものとして、或いは該凹溝部の長さの範囲内に離散的に分散して圧嵌される複数の短寸のものとして構成することもできる。
【００１７】
本発明に係る上記網戸の更に他の好ましい実施形態においては、上記枠材の凹溝部を形成する内側壁と、該凹溝部に嵌入する補助枠の固定部との間に互いに係止する係止部を設け、上記凹溝部に圧嵌する固定部材に、その圧嵌により上記係止部の係止を安定化する機能を持たせたものとし、更に、上記枠材の凹溝部に圧嵌する固定部材と、それが接するところの、枠材の固定部及びそれに対面する凹溝部の外側壁との間に、固定部材に抜け出し方向に対する抵抗力を負荷する摩擦面を備えているものとすることが望まれる。
【００１８】
また、本発明に係る上記網戸の他の実施形態においては、上記補助枠の取付面部に対して固定する第１の面ファスナー片が、上記補助枠の取付面部における該面ファスナー片の取付位置の両側に対設されたところの、互いに内側に傾いた一対のかしめ用爪部片間に配設され、上記一対のかしめ用爪部片の内側へのかしめにより固定されているものとするのが望ましい。
【００１９】
更に、前記課題を解決するため、本発明によれば、枠材が方形に枠組みされた網戸枠における四周の各枠材に、その枠内周側に沿って該網戸枠の室内側に開口する凹溝部が設けられているところの、既存の網戸枠に装着するための改修網戸用キットであって、上記網戸枠の各枠材に取り付ける補助枠が、上記凹溝部の枠材の内側壁の溝内側面に当接する固定部と、該固定部に連設して網戸枠の内方側に向けて伸びる面ファスナーの取付面部とを一体形成して、該取付面部の室内側面に沿って、面ファスナーを構成する一対の面ファスナー片の一方である第１の面ファスナー片を固定することにより構成され、上記枠材に対する補助枠の固定を行う部材が、該枠材の凹溝部を形成する枠材の内側壁の溝内側面に当接させた固定部と、該溝内側面に対面する凹溝部の外側壁との間に、それらに対して弾性的な押圧力を負荷するために圧嵌する固定部材により構成され、上記補助枠に取り付けるカートリッジ型ネットが、網戸枠のサイズに合わせて切断したネットの周辺に、同様に上記網戸枠のサイズに合わせて形成したカートリッジ枠を固定すると共に、該ネットにおける上記カートリッジ枠の固定側とは反対側の面に、前記第１の面ファスナー片に接合させる第２の面ファスナー片を固定することにより形成され、上記補助枠に固定した第１の面ファスナー片に対し、上記カートリッジ型ネットにおける第２の面ファスナー片が室内側から接合可能に構成されていることを特徴とする改修網戸用キットが提供される。
【発明の効果】
【００２０】
以上に詳述した本発明によれば、既存の網戸枠を利用する場合を含めて、網戸枠に対しネットを室内側から容易に着脱できるような構造とし、しかも、該ネットを網戸枠に固定する補助枠と共に、網戸枠に対して安定的に取り付けることを可能にした網戸、及び既存の網戸枠を利用して同様な網戸を構成する改修網戸用キットを提供することができる。
【図面の簡単な説明】
【００２１】
【図１】本発明に係る網戸の実施例を室内側から見たところを、カートリッジ型ネットの分離状態として示す斜視図である。
【図２】上記網戸における網戸枠の構成を、その一部を分解して示す斜視図である。
【図３】本発明における網戸枠への補助枠の取付態様を示す正面図である。
【図４】図３におけるＡ−Ａ位置での断面図である。
【図５】上記網戸枠への補助枠の取付構造を分解状態において示す斜視図である。
【図６】（ａ）は図４の固定ピースを分離して示す要部拡大図、（ｂ）は（ａ）と同様の要部拡大図であるが、固定部材として図７（ｂ）の変形例を用いた場合を示すものである。
【図７】（ａ）は網戸枠の枠材への補助枠の固定に用いる固定部材としての固定ピースの拡大斜視図、（ｂ）は同固定部材の変形例である板状部材の拡大斜視図である。
【図８】上記補助枠に取り付けるカートリッジ型ネットの分解斜視図である。
【発明を実施するための形態】
【００２２】
本発明に係る網戸は、基本的には、既存の網戸枠を利用する場合を含めて、各種網戸枠に対しネットを室内側から容易に着脱できるような構造とし、しかも、該ネットを網戸枠１に保持させる補助枠７等と共に網戸枠に対して安定的に強固に取り付けることを可能にし、建物の中高層階の外壁に設置された網戸の落下防止を図るものである。そこで、まず図２〜図４を参照して、縦横の枠材２，３により方形に枠組みされる網戸枠１の構成について説明する。
【００２３】
ここに例示する網戸枠１は、建物開口部に固定的に、或いは建物開口部のサッシに保持させて設置するものであり、図４に示すような断面形状の縦の枠材２と、ほぼ同様の断面形状を持つ横の枠材３とを用い、それらの両端部をコーナー部において連結することにより方形に枠組みしたものである。両枠材２，３としては、通常、アルミニウム系金属材により型材として成形されたものが用いられ、縦横の枠材２，３のコーナー部における連結は、縦の枠材２の両端部に設けた嵌入空間２ａに対し、そこに嵌挿できる厚さの横の枠材３の端部３ａを嵌入し、縦の枠材２の内壁に設けたビス孔を通して横の枠材３内のビスポケット３ｂに螺挿するなどの手段によって行われる。
【００２４】
上記縦横の各枠材２，３の断面形状は適宜設定することができ、従来から既知の断面形状とすることもできるが、ここで用いる各枠材２，３は、枠組みされた網戸枠１における枠内周側に沿って、該網戸枠１の建物開口部への装着時に室内側に向けて開口するところの凹溝部４を設けていることが必要である。縦横の枠材２，３における該凹溝部４は、以下に述べるところの網戸用のネットを網戸枠１に保持させるための補助枠７を、該網戸枠１における縦横の各枠材２，３に安定的に固定するために用いられる。
【００２５】
上記補助枠７は、図３〜図６から分かるように、上記凹溝部４を形成する枠材２，３の内側壁５の溝内側面に沿って当接させる固定部８と、該固定部８に連設して網戸枠１の内方側に向けて伸びる面ファスナーの取付面部９とを一体形成し、更に図６の（ａ）（ｂ）等を参照して後述するところから分かるように、該取付面部９の室内側面９ａに沿って、面ファスナーを構成する一対の面ファスナー片１３ａ，１３ｂの一方である第１の面ファスナー片１３ａを固定することにより構成されるものである。上記補助枠７は、縦横の枠材２，３において同一断面形状の部材を長さだけ調整して共用することができ、具体的には、縦横の枠材２，３における凹溝部４に沿ってその全長にわたり取り付け可能な長さを有するものとして構成できるものである。但し、特別の事情があれば、網戸の構成に支障が生じない範囲内において断面形状等を異形のものとすることもできる。
【００２６】
上記枠材２，３に対する補助枠７の固定は、図６の（ａ）（ｂ）から分かるように、枠材２，３の凹溝部４を形成する該枠材の内側壁５の溝内側面に当接させた上記固定部８と該溝内側面に対面する凹溝部４の外側壁６との間に、それらに対して弾性的な押圧力を負荷する固定部材１０を室内側から圧嵌することによって行うものである。該固定部材１０としては、図５及び図７（ａ）に示すように、合成樹脂等の弾性を有する素材により形成されて、上記補助枠７の固定部８を挿入した枠材２，３の凹溝部４に離散的に分散して圧嵌する複数の固定ピース１１として構成することが望まれる。
【００２７】
上記固定ピース１１は、該固定ピース１１の凹溝部４への押入に供する上面の押圧板１１ａと、該押圧板１１ａの下面側に一体に設けられて上記凹溝部４に沿う方向に延びる支持板１１ｂと、該支持板１１ｂの表裏両面側に突設され、該固定ピース１１の上記凹溝部４への挿入方向に延びる複数のリブ１１ｃとを備えたものであり、しかも、それらのリブ１１ｃは支持板１１ｂの表裏反対面側に交互に配設され、また、それらのリブ１１ｃは、固定ピース１１の凹溝部４への圧嵌時に、各峰部が上記補助枠７の固定部８とそれに対面する凹溝部４の外側壁とに対して強く圧接する高さを有し、それによって受ける反力により支持板１１ｂのリブ突設基部１１ｄがそれぞれ矢印方向に押圧されて、該支持板１１ｂが図７（ａ）中に鎖線で示すような方向に弾性変形し、全体的には波状をなすように湾曲するものとして構成している。
【００２８】
また、上記固定ピース１１においては、その支持板１１ｂの両端部における表裏両面側にそれぞれ端部リブ１１ｅを設けるのが望ましく、それらの峰部が上記補助枠７の固定部８とそれに対面する凹溝部４の外側壁６とに対して圧接することにより、該支持板１１ｂの両端の位置及び姿勢を安定化させることができる。
【００２９】
上述のような固定ピース１１を用いると、波状に弾性変形した支持板１１ｂの付勢力により上記リブ１１ｃが比較的大きな力で補助枠７の固定部８を押圧することになり、補助枠７が長期にわたり枠材２，３の内側壁５の凹溝部４の内側面に強く圧接され、補助枠７の固定部８を強固に、しかも安定的に保持させることができる。また、上記固定ピース１１による補助枠７の保持力が弱まったときには該固定ピース１１を交換すればよく、該固定ピース１１は合成樹脂の成形品として比較的安価に提供されるものであるから、低コストで長期にわたり安全性の高い網戸の機能を発揮させることができる。
【００３０】
上記固定部材１０としては、上記固定ピース１１に代えて、図６（ｂ）及び図７（ｂ）に示すように、合成樹脂等のゴム弾性を有する素材により形成されて周囲角部をなだらかに面取りしてなる板状部材１２を用いることもできる。この板状部材１２は、上記補助枠７の固定部８を挿入した枠材２，３の凹溝部４と同等の長さのものとして、或いは、該凹溝部４の長さの範囲内に離散的に分散して圧嵌される複数の短寸の板状のピースとして構成することができる。この板状部材１２によれば、簡単な構成の固定部材により補助枠７の凹溝部４への固定を行うことができ、板状部材の周囲のなだらかな面取りのみにより凹溝部４への圧嵌を容易にすることができる。
【００３１】
上述した固定部材１０によって行う枠材２，３の凹溝部４への補助枠７の固定の安定性は、網戸の構成部材の一部が分離して建物から落下するのを抑止するために非常に重要なものである。そのためには、上記補助枠７の固定の安定性を更に高める構成を付加することが望まれる。このような補助枠７の固定の安定性は、例えば、図６（ａ）や図６（ｂ）に示すように、枠材２，３の凹溝部４を形成する内側壁５の先端の溝内側面側に凸縁５ａを凸設すると共に、該凹溝部４に嵌入する補助枠７の固定部８の基端側に膨出部８ａを設けるなど、両者間に互いに係止する係止部を設けておき、凹溝部４に固定部材１０を圧嵌したときに、上記凹溝部４の内側壁５の凸縁５ａに対し、上記固定部８の膨出部８ａが内側から強固に係止するように構成し、つまり、上記固定部材１０にその係止部の係止を安定化させる機能を持たせることによって得ることができる。
【００３２】
更に、上記凹溝部４に圧嵌した固定部材１０が当該凹溝部４から離脱するのを抑止することにより、網戸枠１の枠材２，３から補助枠７等が離脱するのを抑制することができ、そのための手段としては、例えば、上記凹溝部４に圧嵌した固定部材１０が接するところの補助枠７の固定部８にその長手方向の凹条８ｂを設けると共に、固定ピース１１のリブ１１ｃに図７（ａ）に示す凸条１１ｆを設け、或いは、板状部材１２に図７（ｂ）に示すような凸条１２ａを設けて、上記固定部８の凹条８ｂに図７（ａ）の凸条１１ｆ又は図７（ｂ）の凸条１２ａを係合させるとか、凹溝部４への固定部材１０の圧嵌時に枠材２，３の外側壁６とそれに接する固定部材１０の面を粗面或いは凹凸面として、抜け出し方向に対する抵抗力を負荷する摩擦面を備えたものとすることができる。
【００３３】
このような網戸枠１の四周の枠材２，３に対する補助枠７の固定は、建物開口部に取り付けた網戸枠１の室内側から作業することができるため、熟練者でなくても安全に作業することができ、しかも、この段階では未だ網戸枠１に対してネットを張設していないので、網戸枠１の外側に手を伸ばして作業を行うことができ、各補助枠７の固定部８を網戸枠１の室内側に開口する凹溝部４に挿入して該凹溝部４に固定部材１０を圧嵌する作業にも格別の困難性はない。
【００３４】
前記補助枠７は、その取付面部９に対して後述するカートリッジ型ネット１５を固定するものであるため、その取付面部９には、予め、該カートリッジ型ネット１５を固定するための前記第１の面ファスナー片１３ａが固定される。この第１の面ファスナー片１３ａの固定は、図３〜図６（ａ）（ｂ）に示すように、上記補助枠７の取付面部９における第１の面ファスナー片１３ａの取付位置の両側に、該補助枠７の全長にわたって対設したところの、互いに内側に傾いた一対のかしめ用爪部片９ｂ，９ｂ間に第１の面ファスナー片１３ａを配設し、上記一対のかしめ用爪部片の内側へのかしめによりその両側縁を押圧して固定するようにしている。この場合に、上記かしめ用爪部片９ｂを含む補助枠７をアルミニウム系金属材からなる型材により形成しておくと、ローラー等による押圧でかしめ用爪部片９ｂのかしめ作業を容易に行うことができる。
【００３５】
上記網戸枠１の枠材２，３に対して補助枠７の固定を行った後には、該補助枠７に取り付けておいた第１の面ファスナー片１３ａに対し、予め別途用意したカートリッジ型ネット１５を、それに固定してある第２の面ファスナー片１３ｂによって室内側から接合させることにより、網戸の組み付けを完了することができる。
【００３６】
上記カートリッジ型ネット１５は、図８に示すように、網戸枠１のサイズに合わせて切断したネット１６の周辺に、同様に上記網戸枠のサイズに合わせて合成樹脂製板材等で形成したカートリッジ枠１７を固定すると共に、該ネット１６における上記カートリッジ枠１７の固定側とは反対側の面に、前記第１の面ファスナー片１３ａに接合させる第２の面ファスナー片１３ｂを接着剤１８等で固定し、また、上記カートリッジ枠１７の各隅部を補強部片の接着等により補強して形成されるものである。このカートリッジ型ネット１５は、それに取り付けた第２の面ファスナー片１３ｂを、補助枠７に固定した第１の面ファスナー片１３ａに対して室内側から接合することによって、網戸が完成することになる。
【００３７】
なお、上記実施例については、網戸枠が縦の一対の枠材２及び横の一対の枠材３により方形に枠組みされている場合について説明しているが、網戸枠１における一対の縦の枠材２，２間に中桟を固定する場合も多く、しかしながら、上記中桟も実質的には横の枠材３と構成及び作用において変わるところがないので、中桟を含めて方形に枠組みされている場合も、網戸枠１と解されるべきである。
【００３８】
上述した本発明に係る網戸において、方形に枠組みされた網戸枠１は、既に建物開口部に設置されたサッシ等に取り付けて使用されていた既存のものでも、その網戸枠１における四周の各枠材２，３の枠内周側に沿って、該網戸枠１の室内側に開口する凹溝部４が設けられていれば、それを使用して上述した補助枠７やカートリッジ型ネット１５等を取り付けることにより、既存の網戸枠を本発明と同様な網戸に改修することができる。このような改修のためには、枠材２，３に補助枠７を取り付けるための固定部材１０のサイズを適切に選定して、網戸枠１を除く各部材を改修網戸用キットとして提供すればよく、本発明のような簡単な構成の固定部材１０による網戸枠１への補助枠７の取付構造は、上記網戸の改修にも適したものである。
【００３９】
上記改修網戸用キットとしては、上述したところから明らかなように、網戸枠１の各枠材２，３に取り付ける上述の固定部８と第１の面ファスナー片１３ａの取付面部とを一体形成したうえで第１の面ファスナー片１３ａを取り付けた補助枠７、該補助枠７を網戸枠１の各枠材２，３に取り付けるための固定部材１０、及び上記補助枠７の第１の面ファスナー片１３ａに対して第２の面ファスナー片１３ｂを接合させることにより該補助枠７に取り付けるカートリッジ型ネット１５が含まれることになる。
【符号の説明】
【００４０】
１      網戸枠
２      縦の枠材
３      横の枠材
４      凹溝部
５      内側壁
６      外側壁
７      補助枠
８      固定部
９      取付面部
９ａ    室内側面
１０      固定部材
１１      固定ピース
１３ａ    第１の面ファスナー片
１３ｂ    第２の面ファスナー片
１５      カートリッジ型ネット
１６      ネット
１７      カートリッジ枠
【図１】
2018168656.tif 000003
【図２】
2018168656.tif 000004
【図３】
2018168656.tif 000005
【図４】
2018168656.tif 000006
【図５】
2018168656.tif 000007
【図６】
2018168656.tif 000008
【図７】
2018168656.tif 000009
【図８】
2018168656.tif 000010